【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
ネットワークに著作物を公開するための方法であって、
現在のユーザに関連付けられたエンドユーザデバイスによって、ネットワークにおいて前記現在のユーザによって公開されたものではない、公開済みの先行著作物ファイルを取得するステップであって、前記先行著作物ファイルが、先行著者のデジタル署名、および先行著作物を含む、ステップと、
前記先行著者の前記デジタル署名を利用して、前記先行著作物の署名検証を行うステップと、
前記署名検証が成功または失敗したかどうかを決定するステップと、
前記署名検証が成功したとの決定に応答して、前記エンドユーザデバイスによって、前記現在のユーザの操作に基づいて、前記先行著作物、前記先行著者の前記デジタル署名、および前記現在のユーザの前記操作に基づいて追加されたコンテンツを含む、新規著作物ファイルを作成するステップと、
前記署名検証が失敗したとの決定に応答して、前記エンドユーザデバイスによって、前記現在のユーザの操作に基づいて、前記先行著作物、前記先行著者の前記デジタル署名、および署名検証失敗マークを含む、新規著作物ファイルを作成するステップと、
前記エンドユーザデバイスによって、前記ネットワークに前記新規著作物ファイルを公開するステップとを含む、
コンピュータで実行される方法。
【請求項２】
前記先行著作物ファイルの中の前記先行著作物が、前記先行著者の秘密暗号鍵を利用して暗号化される、
請求項１に記載のコンピュータで実行される方法。
【請求項３】
前記新規著作物ファイルの中の前記先行著作物および前記現在のユーザの前記操作に基づいて追加された前記コンテンツが、前記現在のユーザの秘密暗号鍵を利用して暗号化される、
請求項１にコンピュータで実行される記載の方法。
【請求項４】
前記新規著作物ファイルが、前記現在のユーザのデジタル署名をさらに含む、
請求項１に記載のコンピュータで実行される方法。
【請求項５】
前記現在のユーザの前記デジタル署名が、前記現在のユーザの秘密署名鍵を利用して、前記現在のユーザの前記操作に基づいて追加された前記コンテンツに添付されるデジタル署名を含む、
請求項４に記載のコンピュータで実行される方法。
【請求項６】
前記デジタル署名が、前記先行著作物にさらに添付される、
請求項５に記載のコンピュータで実行される方法。
【請求項７】
前記現在のユーザの前記操作に基づいて追加された前記コンテンツが、前記先行著作物の利用方法に関係するコンテンツ、または前記現在のユーザによって創出されたコンテンツを含む、
請求項１に記載のコンピュータで実行される方法。
【請求項８】
前記先行著作物の前記利用方法が、前記先行著作物を転送することを含む、
請求項７に記載のコンピュータで実行される方法。
【請求項９】
前記現在のユーザによって創出されたコンテンツが、前記先行著作物についての注釈またはコメントを含む、
請求項７に記載のコンピュータで実行される方法。
【請求項１０】
前記新規著作物ファイルが、前記ネットワークに前記先行著作物ファイルの公開アドレスをさらに含む、
請求項１に記載のコンピュータで実行される方法。
【請求項１１】
前記先行著作物が、文学の先行著作物を含む、
請求項１に記載のコンピュータで実行される方法。
【請求項１２】
前記先行著作物ファイルが、複数の先行著者からの複数のデジタル署名、および複数の先行著作物を含み、
各デジタル署名が、特定の先行著者に関連付けられる、
請求項１に記載のコンピュータで実行される方法。
【請求項１３】
前記先行著作物の前記署名検証を行うステップが、
各デジタル署名の署名検証を行うステップを含み、
前記署名検証が成功したかどうかの決定が、各デジタル署名に対して行われる、
請求項１２に記載のコンピュータで実行される方法。
【請求項１４】
前記署名検証失敗マークが、いずれのデジタル署名検証が成功しなかったかどうかを示し、
前記署名検証失敗マークが、前記公開済み著作物ファイルの読者に、前記デジタル署名検証が成功しなかった時間を示す、
請求項１３に記載のコンピュータで実行される方法。
【請求項１５】
以下の動作を実行するために、コンピュータシステムによって実行可能な1つまたは複数の命令を記憶している非一時的コンピュータ可読媒体であって、前記動作が、
現在のユーザに関連付けられたエンドユーザデバイスによって、ネットワークにおいて前記現在のユーザによって公開されたものではない、公開済みの先行著作物ファイルを取得するステップであって、前記先行著作物ファイルが、先行著者のデジタル署名、および先行著作物を含む、ステップと、
前記先行著者の前記デジタル署名を利用して、前記先行著作物の署名検証を行うステップと、
前記署名検証が成功または失敗したかどうかを決定するステップと、
前記署名検証が成功したとの決定に応答して、前記エンドユーザデバイスによって、前記現在のユーザの操作に基づいて、前記先行著作物、前記先行著者の前記デジタル署名、および前記現在のユーザの前記操作に基づいて追加されたコンテンツを含む、新規著作物ファイルを作成するステップと、
前記署名検証が失敗したとの決定に応答して、前記エンドユーザデバイスによって、前記現在のユーザの操作に基づいて、前記先行著作物、前記先行著者の前記デジタル署名、および署名検証失敗マークを含む、新規著作物ファイルを作成するステップと、
前記エンドユーザデバイスによって、前記ネットワークに前記新規著作物ファイルを公開するステップとを含む、
コンピュータ可読媒体。
【請求項１６】
前記先行著作物ファイルの中の前記先行著作物が、前記先行著者の秘密暗号鍵を利用して暗号化される、
請求項１５に記載のコンピュータ可読媒体。
【請求項１７】
前記新規著作物ファイルの中の前記先行著作物および前記現在のユーザの前記操作に基づいて追加された前記コンテンツが、前記現在のユーザの秘密暗号鍵を利用して暗号化され、
前記新規著作物ファイルが、前記現在のユーザのデジタル署名をさらに含み、
前記現在のユーザの前記デジタル署名が、前記現在のユーザの秘密署名鍵を利用して、前記先行著作物および前記現在のユーザの前記操作に基づいて追加された前記コンテンツに添付されるデジタル署名を含む、
請求項１５に記載のコンピュータ可読媒体。
【請求項１８】
前記現在のユーザの前記操作に基づいて追加された前記コンテンツが、前記先行著作物の利用方法に関係するコンテンツ、または前記現在のユーザによって創出されたコンテンツを含む、
前記利用方法が、前記先行著作物を転送すること、または前記先行著作物についての注釈もしくはコメントを含む、
請求項１５に記載のコンピュータ可読媒体。
【請求項１９】
前記新規著作物ファイルが、前記ネットワークに前記先行著作物ファイルの公開アドレスをさらに含む、
請求項１５に記載のコンピュータ可読媒体。
【請求項２０】
1つまたは複数のコンピュータと、
前記1つまたは複数のコンピュータと結合した1つまたは複数のコンピュータメモリ装置であって、かつ前記1つまたは複数のコンピュータによって実行された場合に、以下の動作を実行するための1つまたは複数の命令を記憶している有形の非一時的マシン可読媒体を有する1つまたは複数のコンピュータメモリ装置とを備えた、
コンピュータで実装されるシステムであって、前記動作が、
現在のユーザに関連付けられたエンドユーザデバイスによって、ネットワークにおいて前記現在のユーザによって公開されたものではない、公開済みの先行著作物ファイルを取得するステップであって、前記先行著作物ファイルが、先行著者のデジタル署名、および先行著作物を含む、ステップと、
前記先行著者の前記デジタル署名を利用して、前記先行著作物の署名検証を行うステップと、
前記署名検証が成功または失敗したかどうかを決定するステップと、
前記署名検証が成功したとの決定に応答して、前記エンドユーザデバイスによって、前記現在のユーザの操作に基づいて、前記先行著作物、前記先行著者の前記デジタル署名、および前記現在のユーザの前記操作に基づいて追加されたコンテンツを含む、新規著作物ファイルを作成するステップと、
前記署名検証が失敗したとの決定に応答して、前記エンドユーザデバイスによって、前記現在のユーザの操作に基づいて、前記先行著作物、前記先行著者の前記デジタル署名、および署名検証失敗マークを含む、新規著作物ファイルを作成するステップと、
前記エンドユーザデバイスによって、前記ネットワークに前記新規著作物ファイルを公開するステップとを含む、
コンピュータで実装されるシステム。